(57)【特許請求の範囲】
【請求項１】
複数の綴じ足をそれぞれ挿通させるための複数の綴じ足挿通部を備えてなるベースと、
当該ベースに対して動作可能に取り付けられ、一方の綴じ足を前記綴じ足挿通部よりも上側から押さえ得る第一の押さえ部と、
前記ベースに対して動作可能に取り付けられ、他方の綴じ足を前記綴じ足挿通部よりも上側から押さえ得る第二の押さえ部と、
前記第一の押さえ部の動作と前記第二の押さえ部の動作とを連動させることにより前記第一及び第二の押さえ部を前記綴じ足挿通部上に位置付けた綴じ姿勢から当該第一及び第二の押さえ部を退避させ前記綴じ足を開放させた退避姿勢までの間の相互の動作をそれぞれ連動させ得る連動機構と、
前記第一の押さえ部側に設けられ、所定方向の押圧動作のみにより、前記綴じ姿勢から前記退避姿勢へと操作し得る操作部とを具備することを特徴とする綴じ具。
【請求項２】
前記所定方向が、ベースの長手方向に沿った方向である請求項１記載の綴じ具。
【請求項３】
前記連動機構が、前記ベース及び前記何れかの押さえ部を連結する複数のリンク要素からなるリンク部を有するものである請求項１または２記載の綴じ具。
【請求項４】
前記第一の押さえ部が、前記ベースにおける綴じ足挿通部間に設けられた位置決め部に一端を位置決めされた前記リンク要素を介して取り付けられるものであり、
前記連動機構が、前記綴じ姿勢にある前記操作部への操作により前記第一の押さえ部が前記位置決め部へ向かって移動する動作と前記第二の押さえ部が前記位置決め部に向かって移動する動作とが連動するものである請求項３記載の綴じ具。
【請求項５】
前記リンク部が、前記位置決め部に前記リンク要素の一端を回転可能に取り付けられた概略四辺リンクをなす請求項４記載の綴じ具
【請求項６】
前記ベースが、前記位置決め部を複数形成している請求項４または５記載の綴じ具。
【請求項７】
前記ベースが対をなす前記綴じ足挿通部及び対をなす前記位置決め部を有するとともに、当該対をなす位置決め部がそれぞれ反対方向に前記押さえ部を位置決めし得るものであり、
任意の一方の前記綴じ足挿通部及び一方の前記位置決め部間の相対距離と、他方の前記綴じ足挿通部及び他方の前記位置決め部間の相対距離とが等しいものである請求項６記載の綴じ具。
【請求項８】
前記リンク部が、何れかの前記押さえ部と一体に形成されたものである請求項３、４、５、６または７記載の綴じ具。
【請求項９】
前記リンク要素が切り起こしにより一体に形成されている請求項３、４、５、６、７または８記載の綴じ具。
【請求項１０】
前記第一の押さえ部と前記第二の押さえ部とが一体に成形されている請求項１、２、３、４、５、６、７または８記載の綴じ具。
【請求項１１】
前記操作部が、前記第一の押さえ部と一体に成形されている請求項１、２、３、４、５、６、７、８、９または１０記載の綴じ具。
【請求項１２】
請求項１ないし１１の何れかに記載の綴じ具を具備してなることを特徴とするファイル。
【請求項１３】
表表紙又は裏表紙のいずれか一方を折り込んで前記綴じ具を取り付け当該綴じ具とともに紙葉類を押さえ得る押圧板部を設けるとともに、他方を折り込んで前記綴じ足を取り付ける基板部を設け、紙葉類をこれら押圧板部と基板部とにより挟み込むようにしていることを特徴とする請求項１２記載のファイル。
【請求項１４】
表表紙及び裏表紙の両方を折り込んで前記綴じ具を取り付け当該綴じ具とともに紙葉類を押さえ得る押圧板部を設けるとともに、紙葉類をこれら両押圧板部間に挟み込むようにしていることを特徴とする請求項１２記載のファイル。
【請求項１５】
表表紙又は裏表紙のいずれか一方と一体に背表紙を設けるとともに、他方を当該他方の端部が開口する袋体状のものにしてこの背表紙を挿入可能にし、背表紙の幅を調整可能にしていることを特徴とする請求項１２、１３または１４記載のファイル。
【請求項１６】
裏表紙に前記綴じ足を取り付けるとともに、当該綴じ足に前記綴じ具を取り付け、紙葉類を前記裏表紙と前記綴じ具とによって挟み込むようにしていることを特徴とする請求項１２記載のファイル。
【発明の詳細な説明】
【技術分野】
【０００１】
本発明は、紙葉類を綴じることができる綴じ具及びファイルに関するものである。
【背景技術】
【０００２】
従来、紙葉類を綴じるためのファイル、並びに当該ファイルに取り付けられる綴じ具が、種々提案されている。そのなかで、表紙体に取り付けられた可撓性を有する綴じ足に係り合うことにより紙葉類を押圧する態様の綴じ具については、簡単な動作で紙葉類の綴じ込みや加除を行い得るように、種々の工夫がなされている。(例えば、特許文献１及び特許文献２参照)。
【０００３】
上述した特許文献に記載のものは、複数の綴じ足をそれぞれ挿通させるための複数の綴じ足挿通部を備えてなるベースと、当該ベースに対して動作可能に取り付けられ、一方の綴じ足を綴じ足挿通部よりも上側から押さえ得る第一の押さえ部と、ベースに対して動作可能に取り付けられ、他方の綴じ足を綴じ足挿通部よりも上側から押さえ得る第二の押さえ部とを有し、これらの押さえ部をベースに沿って位置付けた綴じ姿勢から、何れかの綴じ部材を例えば指で摘み上げるのみで、綴じ足と綴じ具との係り合いが解除され、紙葉類の綴じ込みや加除が行い易いものとなっている。そして摘み上げた押さえ部をベースに向けて押さえ込めば、綴じ具は再び綴じ足に係り合う綴じ姿勢をとる。このような、摘み挙げ動作・押込み動作を繰り返すだけでファイルにおける紙葉類の綴じ込み作業や加除作業を簡単に繰り返し行うことができるものとして、これまでオフィスにおいて広く好適に受け入れられてきた。
【０００４】
ここで、このように綴じ具を取り扱う際の指の動作に着目すると、上述したような押さえ部を摘み上げる作業というのは、綴じ足と綴じ具との係り合いを解除するために上方に引っ張る力が必要となる。つまり、このような摘み操作を行っている場合には使用者は意識せずとも必然的に一定以上の指で摘む力や握力が要求されていることとなり、実は正確な指の動作を行うに足る意識や指の動作の正常さ、健常さが必要とされるものとなっている。
【先行技術文献】
【特許文献】
【０００５】
【特許文献１】特開２００２−３０７８８４号公報
【発明の概要】
【発明が解決しようとする課題】
【０００６】
本発明は、綴じ具を扱う際の使用者の動作に着目したものであり、より簡便な操作で取り扱うことができる綴じ具及び、当該綴じ具及びファイルを提供することを目的としている。
【課題を解決するための手段】
【０００７】
本発明は、このような目的を達成するために、次のような手段を講じたものである。
【０００８】
すなわち本発明に係る綴じ具は、複数の綴じ足をそれぞれ挿通させるための複数の綴じ足挿通部を備えてなるベースと、当該ベースに対して動作可能に取り付けられ、一方の綴じ足を前記綴じ足挿通部よりも上側から押さえ得る第一の押さえ部と、前記ベースに対して動作可能に取り付けられ、他方の綴じ足を前記綴じ足挿通部よりも上側から押さえ得る第二の押さえ部と、前記第一の押さえ部の動作と前記第二の押さえ部の動作とを連動させることにより前記第一及び第二の押さえ部を前記綴じ足挿通部上に位置付けた綴じ姿勢から当該第一及び第二の押さえ部を退避させ前記綴じ足を開放させた退避姿勢までの間の相互の動作をそれぞれ連動させ得る連動機構と前記第一の押さえ部側に設けられ、所定方向の押圧動作のみにより、前記綴じ姿勢から前記退避姿勢へと操作し得る操作部とを具備することを特徴とする。
【０００９】
そして本発明に係るファイルは、係る綴じ具を具備することを特徴としている。
【００１０】
このようなものであれば、使用者は一方向の押圧操作のみで綴じ姿勢から退避姿勢へと操作することができるので、従来のような指で摘む動作のように、二本の指によるそれぞれ二つの動作を要求とされることもなく、指一本、或いは使用者にとって押圧し易い所望の動作によって容易に綴じ具を操作することができる。そうすることにより、誰にでも手軽に紙葉類の綴じ作業や加除作業を行うことができるようになる。
【００１１】
綴じ姿勢から退避姿勢まで動作を行わせるための操作方向は、予め説明等を施されることなく綴じ具の形状から容易に分かるようなものとすることが好ましい。そこで第一の押さえ部に設けた操作部の場合は、その所定方向を、ベースの長手方向に沿った方向としておくことが望ましい。
【００１２】
また、操作部の操作を確実に連動させ得るようにするためには、連動機構を記ベース及び何れかの押さえ部を連結する複数のリンク要素からなるリンク部を有するものとすることが好ましい。
【００１３】
そして、このようなリンク要素を適用して、押さえ部同士の正確な連動を実現するための構成として、第一の押さえ部を、ベースにおける綴じ足挿通部間に設けられた位置決め部に一端を位置決めされたリンク要素を介して取り付けられるようにし、連動機構を、綴じ姿勢にある操作部への操作により第一の押さえ部が位置決め部へ向かって移動する動作と第二の押さえ部が位置決め部に向かって移動する動作とを連動するようにしているものを挙げることができる。
【００１４】
特にスムーズな連動動作を実現し得る具体的な構成として、リンク部が、位置決め部にリンク要素の一端を回転可能に取り付けられた概略四辺リンクをなす態様を挙げることができる。
【００１５】
また、一つの綴じ具で複数の態様に対応させるためには、ベースに位置決め部を複数形成しておくことが望ましい。特に、ベースが対をなす綴じ足挿通部及び対をなす位置決め部を有するものとした場合、この対をなす位置決め部をそれぞれ反対方向に押さえ部を位置決めし得るものとしておき、任意の一方の綴じ足挿通部及び一方の位置決め部間の相対距離と、他方の綴じ足挿通部及び他方の位置決め部間の相対距離とが等しく設定したものとすれば、押さえ部を反対方向にして他方の位置決め部へと付け替えれば、押さえ部が同様に綴じ足挿通部に対応するようにして正常な動作を担保しつつ、操作部の向き並びに操作方向を反対向きに変更することが可能となる。
【００１６】
リンク部を構成するに際し、有効に部品点数を削減するための構成として、リンク部を、何れかの押さえ部と一体に形成しておくことが望ましい。
【００１７】
特に、製造する部品の寸法や容積を有効に削減するためには、リンク要素を切り起こしにより一体に形成しておく事が望ましい。ここで、リンク要素を切り起こす元になる部材は、ベース並びに押さえ部を含む、当該綴じ具を構成する何れかの部品であればよい。
【００１８】
さらに、綴じ具を構成する部品点数をさらに削減するためには、上述した第一の押さえ部と第二の押さえ部とを一体に形成することが好ましい。
【００１９】
また、操作部の操作により確実に第一の押さえ部を動作させるための具体的な構成としては、この操作部を、第一の押さえ部と一体に成形しておくことが好ましい。
【００２０】
他方、上記の綴じ具を用いて、容易に紙葉類を綴じ得る本発明のファイルの具体的な態様として、表表紙又は裏表紙のいずれか一方を折り込んで綴じ具を取り付け当該綴じ具とともに紙葉類を押さえ得る押圧板部を設けるとともに、他方を折り込んで綴じ足を取り付ける基板部を設け、紙葉類をこれら押圧板部と基板部とにより挟み込むようにしている態様を挙げることができる。
【００２１】
或いは、表表紙側からも裏表紙側からも紙葉類の綴じ作業を好適に行い得るファイルとしてもよい。すなわち、表表紙及び裏表紙の両方を折り込んで綴じ具を取り付け当該綴じ具とともに紙葉類を押さえ得る押圧板部を設けるとともに、紙葉類をこれら両押圧板部間に挟み込むようにしている態様を適用しても良い。
【００２２】
そして、綴じようとする紙葉類の量すなわち厚みに好適に適応し得るファイルとすることの可能である。すなわち、表表紙又は裏表紙のいずれか一方と一体に背表紙を設けるとともに、他方を当該他方の端部が開口する袋体状のものにしてこの背表紙を挿入可能にし、背表紙の幅を調整可能にしたファイルとしても良い。
【００２３】
また勿論、本発明のファイルは、綴じ具のみで紙葉類を押圧し綴じる態様のものとしても良い。すなわち、裏表紙に綴じ足を取り付けるとともに、当該綴じ足に綴じ具を取り付け、紙葉類を裏表紙と綴じ具によって挟み込むようにしているファイルとしても良い。
【発明の効果】
【００２４】
本発明によれば、例えば指一本、或いは使用者にとって押圧し易い所望の押圧動作によって容易に綴じ具を操作することができることにより、誰にでも手軽に紙葉類の綴じ作業や加除作業を行うことができるようになる綴じ具及びファイルを提供することができる。
【図面の簡単な説明】
【００２５】
【図１】本発明の一実施形態に係るファイルの平面図。
【図２】同他の平面図。
【図３】同ファイルを示す外観図。
【図４】同他の外観図。
【図５】同実施形態に係る綴じ具を示す分解斜視図。
【図６】同綴じ具の要部を示すための断面図。
【図７】同要部を示すための他の斜視図。
【図８】同上。
【図９】同要部を示す平面図。
【図１０】同要部を示す正面図。
【図１１】同要部を示す他の正面図。
【図１２】同実施形態の変形例１を示すファイルの平面図。
【図１３】同他の平面図。
【図１４】同実施形態の変形例２を示すファイルの外観図。
【図１５】同他の外観図。
【図１６】同実施形態に係る変形例３を示すファイルの外観図。
【図１７】同実施形態に係る変形例４に係る綴じ具を示す分解斜視図。
【図１８】同実施形態に係る変形例５に係る綴じ具を示す分解斜視図。
【発明を実施するための形態】
【００２６】
以下、本発明の一実施の形態について図面を参照して説明する。
【００２７】
本実施形態に係るファイルＦは、図１ないし図５に示すように、表表紙Ｆ２と、表表紙Ｆ２の一端を折り込んで設けた細長い板状をなす押圧板部Ｆ３と、この押圧板部Ｆ３からさらに表表紙Ｆ２と反対側に折り込んで設けた背表紙Ｆ４と、表表紙Ｆ２とは分離した裏表紙Ｆ５と、裏表紙Ｆ５の一端を折り込んで設けた細長い板状をなす基板部Ｆ６と、基端部Ｆ７２を基板部Ｆ６に取り付けてその先端部を紙葉類Ｐに挿し通すようにした一対の綴じ足Ｆ７と、基板部Ｆ６の長手方向に延びる形状をなし綴じ足Ｆ７を挿通させて係止するように構成した、本発明に係る綴じ具１とを具備する。なお同図において、紙葉類の図示は省略する。
【００２８】
表表紙Ｆ２と、押圧板部Ｆ３と、背表紙Ｆ４とは、１枚の紙を折り込んで形成してあり、折り込み部分を押圧板部Ｆ３とし、この押圧板部Ｆ３を挟んで表表紙Ｆ２と背表紙Ｆ４とを配置するようにしている。
【００２９】
一方、裏表紙Ｆ５と基板部Ｆ６とは、１枚の紙の端部を折り込んで形成してあり、折り込み部分を基板部Ｆ６としている。さらに、本態様では裏表紙Ｆ５を構成する部分を折り返して綴じ元側に開口する袋体状のものにし、背表紙Ｆ４を挿入可能な背表挿入部Ｆ５ａを形成してある。そしてこの背表挿入部Ｆ５ａに背表紙Ｆ４を挿入する寸法を調整することにより、表表紙Ｆ２及び裏表紙Ｆ５間に露出する背表紙Ｆ４の幅を調整可能にしている。
【００３０】
綴じ足Ｆ７は、図３に示すように基端部Ｆ７２から綴じ足本体Ｆ７１を延ばして形成している。基端部Ｆ７２は、幅方向に略Ｔ字状に拡開する形状を有する板状のものである。綴じ足本体Ｆ７１は、横断面が略半円状をなし、一側面の一部に所定ピッチで溝を設けている。一方、図１に示すように、基板部Ｆ６には、綴じ足Ｆ７を挿通させ、また係止する役割を果たす取付孔Ｆ６ａ、Ｆ６ｂをそれぞれ２箇所設けている。この２箇所の取付孔Ｆ６ａ、Ｆ６ｂのうち、綴じ足本体Ｆ７１を外側に位置する外取付孔Ｆ６ｂを挿通し、しかる後、内側に位置する内取付孔Ｆ６ａ、Ｆ６ａから綴じ足本体Ｆ７１を表表紙Ｆ２に向けて挿し通すようにしている。なお、基端部Ｆ７２を内取付孔Ｆ６ａ、Ｆ６ａのみに挿通させると、紙葉類を綴じ得る綴じ足本体Ｆ７１の有効寸法が図示の態様よりも増すことになる。このように、本実施形態に係るファイルＦは、２箇所の取付孔Ｆ６ａ、Ｆ６ｂを設ける事により、綴じ足本体Ｆ７１が紙葉類を綴じ得る有効寸法を適宜調整することができる。
【００３１】
他方、押圧板部Ｆ３には、内取付孔Ｆ６ａと重合する位置に綴じ足Ｆ７を挿通させる２箇所の上挿通孔Ｆ３ａと、この内取付孔Ｆ３ａの外側には綴じ具１を取り付けるためのベース取付孔Ｆ３ｂを設けている。このとき、同図に示すように、綴じ足本体Ｆ７１は押圧板部Ｆ３及び綴じ具１をともに挿通し得るとともに、綴じ具１によって綴じ足本体Ｆ７１の任意の位置が係止されることで、押圧板部Ｆ３が綴じ具１とともに紙葉類を押圧し、紙葉類をこれら押圧板部Ｆ３と基板部Ｆ６とにより挟み込むようにしている。
【００３２】
ここで、本実施形態に係る綴じ具１は特に図５に示すように、例えば樹脂の一体成形品である３つの部品、すなわち、ベース２、第一の押さえ板３及び第二の押さえ板４を組み付けることによって構成される。そしてこの綴じ具１は、ベース２と、第一の押さえ板３に設けられた第一の押さえ部３２と、第二の押さえ板４に設けられた第二の押さえ部４１と、これら両押さえ部３２、４１の動作を連動させるための連動機構Ｘと、第一の押さえ部３２側に設けられ、所定方向の押圧動作のみにより、綴じ姿勢（Ｐ）から退避姿勢（Ｑ）へと操作し得る操作部３１とを具備することを特徴とするものである。
【００３３】
以下、当該綴じ具１の構成について、図５ないし図１１に示して詳述する。
【００３４】
ベース２は、同図に示すように、綴じ姿勢（Ｐ）で押圧板部Ｆ３を介して紙葉類を押さえ込むためのものであり、本実施形態では、長手方向において対称形状をなすとともに、長手方向に直交する幅方向については、綴じ足挿通部２１の形状を除いて、略対称形状をなしている。当該ベース２は綴じ足Ｆ７を挿通させるための綴じ足挿通部２１と、押圧板部Ｆ３に当該ベース２を固定するための取付爪２２と、第一の押さえ部３２及び第二の押さえ部４１をスライド可能に支持するレール部２３と、これら第一の押さえ部３２及び第二の押さえ部４１を退避姿勢（Ｑ）で位置決めするためのストッパ２４と、綴じ姿勢（Ｐ）で綴じ足Ｆ７を係止する綴じ足係止部２５と、第一の押さえ板３及び第二の押さえ板４を直接ベース２に取り付けるための２つの開口である外側穴２６２ａ、２６２ｂ、内側穴２６１ａ、２６１ｂからなる対をなす位置決め部２６ａ、２６ｂとを有している。
【００３５】
綴じ足挿通部２１は、ベース２の中央よりの位置に例えば８０ｍｍ間隔で平面視コの字状に切り欠くことによって設けられ、綴じ足Ｆ７よりも若干大きな寸法で切り欠くことにより、スムーズな綴じ足Ｆ７の挿通を実現している。
【００３６】
取付爪２２は、綴じ足挿通部２１よりも若干両端よりにそれぞれ下方に突出させて形成したものであり、上述したベース取付孔Ｆ３ｂに経過的な弾性変形を経て固定される。
【００３７】
レール部２３は、長手方向で綴じ足挿通部２１を設けた位置から両端にわたって形成されたものであり、上端部分を長手方向に直交する幅方向に突出させて形成した、第一の押さえ板３に外嵌されるためのフランジ２３１と、幅方向中央に形成され綴じ足Ｆ７を収容するとともに、第二の押さえ板４の両側に略接する幅寸法に設定された凹溝２３２とを有している。
【００３８】
ストッパ２４は、操作部３１に当接することで、当該操作部３１の動作終端である退避姿勢（Ｑ）で位置決めするための当接面２４１と、動作終端において操作部３１に下方から弾性的に付勢することにより、動作終端近傍から動作終端まで操作部３１を操作する際に適度なクリック感を出すとともに、当接面２４１に操作部３１が接した状態で位置決めを行うための弾性付勢部２４２とを有している。
【００３９】
綴じ足係止部２５は、綴じ足挿通部２１よりも長手方向両端よりに設けられ。綴じ足本体Ｆ７１に係り得る３つの係止突起２５１からなるものである。
【００４０】
そして位置決め部２６ａ、２６ｂは、長手方向においてストッパ２４よりも若干中央よりに形成された複数、つまり対をなして形成されたものであり、第二の押さえ板４から切り起こされた後述する位置決めリンク４５並びに浮き防止リンク４６の先端を軸支することにより、第二の押さえ板４を直接、第一の押さえ板３を間接的に取り付けるためのものである。この位置決め部２６ａ、２６ｂは、ストッパ２４に近接した側の長穴である、位置決めリンク４５を若干寸法スライド可能に軸支する外側穴２６２ａ、２６２ｂと、浮き防止リンク４６を略回転のみ可能に軸支する内側穴２６１ａ、２６１ｂとを有している。ここで、この位置決め部２６ａ、２６ｂは上述の通り長手方向にも幅方向にも対称に形成されている。つまり、この対をなす位置決め部２６ａ、２６ｂがそれぞれ反対向きに第一の押さえ板３及び第二の押さえ板４を位置決めし得るものとなっている。そして、綴じ足挿通部２１が長手方向に対称であるという点から、この位置決め部２６ａ、２６ｂと綴じ足挿通部２１との位置関係は、任意の一方の綴じ足挿通部２１及び一方の位置決め部２６ａ、２６ｂ間の相対距離と、他方の綴じ足挿通部２１及び他方の位置決め部２６ａ、２６ｂ間の相対距離とが等しいものとなっている。これにより、ベース２は、第一の押さえ板３及び第二の押さえ板４を図５に示す向きとは反対向けにも取り付けることが可能となっている。つまり、操作部３１を位置付ける位置を何れの綴じ足挿通部２１寄りに位置付けるかを、適宜選択することができる。
【００４１】
第一の押さえ板３は、一端側をベース２に外嵌することによってベース２に対してスライド可能に固定されるとともに、併せて第二の押さえ板４を介してベース２に取り付けられることにより、ベース２の端部から抜ける方向へのスライド動作の動作範囲が規制されているものである。この第一の押さえ板３は、具体的には同図に示すように、操作部３１と、第一の押さえ部３２と、ベース２に外嵌する外嵌部３３と、操作部３１から他の部位を屈曲可能に接続する操作側ヒンジ３４と、主に綴じ姿勢（Ｐ）への操作時に押圧する綴じ操作板３５と、第二の押さえ板４へ接続する上接続板部３６とを有している。
【００４２】
操作部３１は、綴じ姿勢（Ｐ）では綴じ足挿通部２１の真上に位置付けられたものであり、綴じ姿勢（Ｐ）から、ベース２の長手方向に沿ってベース２中央へ向けた一方向の押圧動作によりストッパ２４の当接面２４１に当接する当接端３１１と、この当接端３１１が当接面２４１に近接して退避姿勢（Ｑ）へと動作する際に弾性付勢部２４２に付勢され経過的に弾性付勢部２４２に対して乗り上げ動作をし得る乗り上げ部３１２とを有している。またこの操作部３１は、退避姿勢（Ｑ）にある状態から一方向とは逆方向への押圧操作により、再び綴じ姿勢（Ｐ）とし得るものである。
【００４３】
第一の押さえ部３２は、綴じ足挿通部２１よりも上側から綴じ足Ｆ７を押さえるためのものであり、本実施形態では操作部３１に一体に形成されたものである。第一の押さえ部３２は、操作部３１と裏面側すなわち下方に面した位置に若干凹ました湾曲形状をなして形成されている。この第一の押さえ部３２は、ベース２の長手方向に沿って操作部３１と同じスライド動作をする。
【００４４】
外嵌部３３は、ベース２の端部に設けられた、幅方向に対をなして突出させたフランジ２３１に外嵌することにより、これら操作部３１と第一の押さえ部３２をスライド動作可能に取り付けるためのものである。
【００４５】
操作側ヒンジ３４は、操作部３１の他端側において樹脂の厚みを若干薄く形成させて形成させたもので、操作部３１と綴じ操作板３５とを相対動作可能に接続したものである。
【００４６】
綴じ操作板３５は、一端側にある操作部３１のスライド動作に応じて他端側が上方へ回転し上昇するようになっているものであり、退避姿勢（Ｑ）にある綴じ操作板３５を例えば指でベース２に向けて押圧することにより、再び綴じ姿勢（Ｐ）とするためのものである。この綴じ操作板３５は、綴じ姿勢（Ｐ）とするために押圧される箇所である綴じ操作端３５１と、綴じ姿勢（Ｐ）の際に第二の押さえ板４側に係り合って綴じ姿勢（Ｐ）を維持するための弾性突起３５２と、綴じ操作端３５１の裏面側に位置し、例えば指により摘み上げられることにより、操作部３１によらずに綴じ姿勢（Ｐ）から退避姿勢（Ｑ）へとし得る摘み部３５３とを有している。なお本実施形態では、この綴じ操作板３５の先端側に位置する綴じ操作端３５１の位置を、後述する中央ヒンジ４３と平面視略重なる位置に設定しているが、勿論、綴じ操作端３５１を中央ヒンジ４３を超えて摺動板部４２上部にまで重なり得る構成として、第二の押さえ板４をより強く押さえ得る構成としても良い。
【００４７】
上接続板部３６は、綴じ操作板３５の内側において第二の押さえ板４側の下接続板部４４に重なるように接続することにより、当該第一の押さえ板３と第二の押さえ板４とを連動させるためのものである。この上接続板部３６は、下接続板部４４の先端部４４１を係り止めるための端爪３６１と、段部４４２に係り止めるための側爪３６２と、そして下接続板部４４に形成された凸部４４３を収容して互いの位置決めを行う凹部３６３とを有している。これにより、綴じ操作板３５は、第二の押さえ板４の下接続板部４４ともに、本発明のリンク要素として一体的に動作し得るものとなっている。
【００４８】
第二の押さえ板４は、綴じ姿勢（Ｐ）では平板状となった状態で凹溝２３２に収容させ、操作板３５の操作によって、後述の通り形状を変形させながら、第一の押さえ板３の動作も連動させて綴じ足Ｆ７を押さえ得るものである。この第二の押さえ板４は、一端側において綴じ足Ｆ７を押さえるための第二の押さえ部４１と、凹溝２３２内から上下方向の姿勢変形を行う摺動板部４２と、略中央の位置で屈曲する中央ヒンジ４３と、第一の押さえ板３側に固定される下接続板部４４と、ベース２に枢着され綴じ操作板３５の動作を案内するとともに操作部３１を間接的に位置決めする位置決めリンク４５と、第二の押さえ部４１並びに摺動板部４２の動作を案内するリンク要素である浮き防止リンク４６とを有している。
【００４９】
第二の押さえ部４１は、第二の押さえ板４の端部の下面側の樹脂を若干膨出させて（図１１）形成されたものである。そしてこの第二の押さえ部４１は、綴じ姿勢（Ｐ）では綴じ足Ｆ７を上方から押圧するとともに、退避姿勢（Ｑ）へと至る動作時には回転動作をしながら綴じ足挿通部２１から退避する。
【００５０】
摺動板部４２は、その両側が、凹溝２３２に沿ってスムーズ且つがたつき無く摺動し得るように凹溝２３２の幅寸法と略同じか、若干小さい寸法で形成された立面を有する板状のものである。
【００５１】
中央ヒンジ４３は、摺動板部４２と下接続板部４４とを屈曲可能に連結する樹脂ヒンジである。
【００５２】
下接続板部４４は、先端部４４１を端爪３６１に、段部４４２を側爪３６２に、凹部３６３を凸部４４３に係り合わせることにより、上述した上接続板部３６に固定して、綴じ操作板３５をリンク要素として動作させ得るものである。
【００５３】
位置決めリンク４５は、下接続板部４４の中央の領域を切り起こし、他端側において基端ヒンジ４５１を中心に回転可能に構成したものであり、先端側をベース２の内側穴２６１ａに軸支させた枢着端４５２としたものである。
【００５４】
浮き防止リンク４６は、摺動板部４２の中央の領域を切り起こし、一端側において基端ヒンジ４６１を中心に回転可能に構成し、先端側を外側穴２６２ａに若干寸法動作可能に軸支させた枢着端４６２としたものである。この浮き防止リンク４６により、退避姿勢（Ｑ）の際に第二の押さえ部４１が不必要にベース２から上方へ離間するという不具合を防止している。
【００５５】
しかして本実施形態に係る綴じ具１は、これら第一の押さえ板３並びに第二の押さえ板４によって、本発明のリンク部からなる連動機構Ｘを構成している。つまり、本実施形態に係る連動機構Ｘとは、一体的に動作する綴じ操作板３５並びに下接続板部４４、綴じ操作板３５、位置決めリンク４５及び浮き防止リンク４６を各リンク要素とした概略四辺リンクであるリンク部からなるものである。
【００５６】
そしてこの連動機構Ｘは、この各リンク要素の動作により第一の押さえ部３２の動作と第二の押さえ部４１の動作とを連動させることにより綴じ姿勢（Ｐ）から退避姿勢（Ｑ）までの間の相互の動作をそれぞれ連動させ得るものである。そして、当該連動機構Ｘの動作のもと、操作部３１は、ベース２の長手方向に沿った押圧動作のみにより、綴じ姿勢（Ｐ）から退避姿勢（Ｑ）へと操作し得るものとなっている。
【００５７】
以下、綴じ姿勢（Ｐ）から退避姿勢（Ｑ）に至るまでの綴じ具１の動作について説明する。まず、図１及び図３に示す綴じ姿勢（Ｐ）から操作部３１をベース２の長手方向に、位置決め部２６ａ、２６ｂへ向けて押圧すると、操作部３１並びに第一の押さえ部３２のレール部２３に沿ったスライド動作に伴って、ベース２と平行に姿勢を保っていた位置決めリンク４５が内側穴２６１ａを中心に回転動作を行い起立してゆく。この起立動作に伴い操作側ヒンジ３４の変形とともに綴じ操作板３５が綴じ操作端３５１を上昇させながら回転する。他方、綴じ操作板３５の回転動作に伴い中央ヒンジ４３が変形し、摺動板部４２が上方へ回転する。このとき、摺動板部４２の一端に位置付けられた第二の押さえ部４１は綴じ足挿通部２１上から退避する。そしてこの摺動板部４２を浮き防止リンク４６を介して外側穴２６２ａに接続されているため、第二の押さえ部４１は凹溝２３２内の空間を位置決め部２６ａに向かってスライドしながら回転動作を行うこととなる。このようにして、綴じ具１は退避姿勢（Ｑ）となる。
【００５８】
また、図２、４、５、６に示す退避姿勢（Ｑ）から綴じ操作端３５１を上から指で押圧しても、操作部３１を上記とは逆方向に操作しても、上に説明した動作の逆の動作が行われることにより、再び図１及び図３に示す綴じ姿勢（Ｐ）へと戻る。このとき、弾性突起３５２は摺動板部４２に係り合って、好適に綴じ姿勢（Ｐ）が維持される。
【００５９】
以上のような構成とすることにより、本実施形態に係る綴じ具１は、綴じ姿勢（Ｐ）から退避姿勢（Ｑ）へと操作し得る操作部３１とを具備しているので、所定方向の押圧動作のみにより、使用者は一方向の押圧操作のみで綴じ姿勢（Ｐ）から退避姿勢（Ｑ）へと操作し得るものとなっている。つまり、従来のような指で摘む動作のように、二本の指によるそれぞれ二つの動作を要求されることもなく、指一本、或いは使用者にとって押圧し易い所望の動作によって容易に綴じ具１を操作し得るものとなっている。その結果、誰にでも手軽に紙葉類の綴じ作業や加除作業を行うことができる綴じ具１となっている。
【００６０】
そして本実施形態に係る綴じ具１は、ベース２の長手方向に沿った方向で操作部３１を動かせば退避姿勢（Ｑ）とし得るものであるため、予め説明等を施されることなく、ベース２と操作部３１との位置関係から容易に分かるようなものとなっている。そのため、使用者は使用方法を誤ることなく当該綴じ具１を容易に使用することができる。
【００６１】
また本実施形態では連動機構Ｘとして、リンク要素を配したリンク部を採用しているので、複雑な構成を適用することを有効に回避しながら部品点数が少なく簡素な形状、構成ではあるが、綴じ姿勢（Ｐ）退避姿勢（Ｑ）の相互の連動を速やか且つ確実に行い得るものとなっている。
【００６２】
そして、このようなリンク要素を適用して、押さえ部３２、４１同士の正確な連動を実現するための一例として本実施形態では、第一の押さえ部３２を、ベース２における綴じ足挿通部２１間に設けられた位置決め部２６ａ、２６ｂに一端を位置決めされたリンク要素を介して取り付けられるようにし、連動機構Ｘを、綴じ姿勢（Ｐ）にある操作部３１への操作により第一の押さえ部３２が位置決め部２６ａ、２６ｂへ向かって移動する動作と第二の押さえ部４１が位置決め部２６ａ、２６ｂに向かって移動する動作とを連動するようにしている。
【００６３】
特にスムーズな連動動作を実現し得る具体的な構成として本実施形態では、リンク部が、位置決め部２６ａ、２６ｂにリンク要素の一端を回転可能に取り付けられた概略四辺リンクをなす態様としている。
【００６４】
また、本実施形態ではベース２に位置決め部２６ａ、２６ｂを複数形成して、一つの綴じ具１で異なった配置をなすようにしているので、ファイルＦを構成するための綴じ具１の部品点数を有効に削減している。特に、ベース２が対をなす綴じ足挿通部２１及び対をなす位置決め部２６ａ、２６ｂを有するものとした本実施形態では、この対をなす位置決め部２６ａ、２６ｂをそれぞれ反対方向に押さえ部を位置決めし得るものとしておき、任意の一方の綴じ足挿通部２１及び一方の位置決め部２６ａ、２６ｂ間の相対距離と、他方の綴じ足挿通部２１及び他方の位置決め部２６ａ、２６ｂ間の相対距離とが等しく設定したものとして、操作部３１の向き並びに操作方向を反対向きに変更することが可能となっている。これにより、使用者の使い勝手や仕様変更に有効に適用し得る綴じ具１となっている。
【００６５】
そして本実施形態では、リンク要素として機能する綴じ操作板３５、上接続部、下接続板部４４、摺動板部４２、位置決めリンク４５要素並びに浮き防止リンク４６要素は、全て、何れかの押さえ部と一体に形成しているので、綴じ具１を構成する部品点数を有効に削減し得たものとなっている。
【００６６】
特に、製造する部品の寸法や容積を有効に削減するために本実施形態では、リンク要素を切り起こしにより一体に形成している。特に本実施形態では、保管時や出荷時など長時間維持される状態である綴じ姿勢（Ｐ）においてリンク要素は成形された状態からなんら変わらない姿勢を採っているので、不自然に樹脂が曲げられた状態が維持されることによる部品の局部的な劣化を有効に回避して、耐久性の高い綴じ具１を実現している。
【００６７】
そして本実施形態では、操作部３１と第一の押さえ部３２とが一体に成形されているので操作部３１に掛かる操作力を最も効率良く第一の押さえ部３２に伝える事と、第一の押さえ部３２の動作を連動機構Ｘを介して第二の押さえ部４１に伝える事とを有効に両立させたものとなっている。
【００６８】
＜変形例１＞
以下、本発明に係る各変形例について詳述する。
【００６９】
なお、本変形例について、上記実施形態における構成要素に相当するものについては、同じ符号を付すとともに、詳細な説明を省略するものとする。
【００７０】
本変形例に係るファイルＦは、上記実施形態同様、表表紙Ｆ２又は裏表紙Ｆ５のいずれか一方と一体に背表紙Ｆ４を設けるとともに、他方を当該他方の端部に開口した背表挿入部Ｆ５ａを設けて袋体状のものにしてこの背表紙Ｆ４を挿入可能にし、背表紙Ｆ４の幅を調整可能にしているものである。
【００７１】
そして、本変形例に係るファイルＦは、図１２及び図１３に示すように、二つの綴じ具１を取り付けてなるものである。また上述の通り綴じ具１は、第一の押さえ板３及び第二の押さえ板４を反対向けにも取り付けことも可能であり、操作部３１を位置付ける位置を何れの綴じ足挿通部２１寄りに位置付けるかを、適宜選択することができるものである。つまり、同図右側に示す綴じ具１は、互いにベース２に対する第一の押さえ板３並びに第二の押さえ板４の取り付け方向を反対向けにし、位置決め部２６ｂ取り付けた状態で取り付けたものである。これにより同図に示すように、対をなす綴じ具１を押圧板部Ｆ３を介して背反するように配置させても、操作部３１の位置を任意の側に揃えることができるものである。
【００７２】
このファイルＦについて具体的に説明すると、表表紙Ｆ２及び裏表紙Ｆ５の両方を折り込んで綴じ具１を取り付け当該綴じ具１とともに紙葉類を押さえ得る押圧板部Ｆ３を設けるとともに、紙葉類をこれら両押圧板部Ｆ３間に挟み込むようにしているものである。また本変形例では、綴じ足Ｆ７を、基端部Ｆ７２を設けずに綴じ足本体Ｆ７１のみにより構成されたものとしている。
【００７３】
このように本変形例のファイルＦは、紙葉類の表裏どちらからでも綴じ込みや加除を行い得る使い勝手の優れたファイルＦとなっている。
【００７４】
＜変形例２＞
また本発明によれば、図１４及び図１５に示す当該変形例に係る綴じ具１Ａのように、第二の操作部４７Ａを第二の押さえ板４に設けることにより、左右どちらからでも一方向の押圧操作のみで綴じ具１Ａを退避姿勢（Ｑ）へと操作することが可能である。なお、本変形例について、上記実施形態及び変形例における構成要素に相当するものについては、同じ符号を付すとともに、詳細な説明を省略するものとする。
【００７５】
つまり同図に示す綴じ具１Ａは、第二の押さえ部４１からさらに先端側に、樹脂ヒンジを介して片側のフランジ２３１にのみ外嵌する第二の操作部４７Ａを設けたものである。また当該第二の操作部４７Ａを設ける場合、退避姿勢（Ｑ）の際に開放される綴じ足Ｆ７に干渉しないように、第二の操作部３１を幅寸法を操作部３１よりも小さくし、何れかの側のフランジ２３１にのみ外嵌するようにしている。
【００７６】
このようなものであると、綴じ姿勢（Ｐ）から第二の操作部Ａ４７をベース２の長手方向に、位置決め部２６ａ、２６ｂへ向けて押圧すると、第二の操作部３１を並びに第二の押さえ部４１のレール部２３に沿った動作に伴って、ベース２と平行に姿勢を保っていた浮き防止リンク４６が外側穴２６２ａを中心に回転動作を行い起立してゆく。この起立動作にともない摺動板部４２が中央ヒンジ４３を上昇させながら回転する。他方、摺動板部４２の回転動作に伴い中央ヒンジ４３が変形し、綴じ操作板３５が上方へ回転する。このとき、綴じ操作板３５の一端に位置付けられた第一の押さえ部３２並びに操作部３１は綴じ足挿通部２１上から退避する。そしてこの摺動板部４２を位置決めリンク４５を介して内側穴２６１ａに接続されているため、第一の押さえ部３２はフランジ２３１に沿いつつ位置決め部２６ａ、２６ｂに向かってスライドしながら回転動作を行うこととなる。このようにして、綴じ具１Ａは退避姿勢（Ｑ）となる。
【００７７】
このように本変形例によれば、左右どちら側からでも指一本で、言い換えれば一方向の押圧操作のみで、綴じ具１Ａを退避姿勢（Ｑ）へと操作することが可能である。
【００７８】
＜変形例３＞
そして図１６に示す当該変形例のように、オフィスにおいて上記実施形態のファイルＦ同様に広く用いられている、綴じ具１Ｂのみで紙葉類を押圧し綴じる態様のファイルＦＦとしても良い。すなわち、裏表紙Ｆ５に綴じ足Ｆ７を取り付けるとともに、当該綴じ足Ｆ７に綴じ具１Ｂを取り付け、紙葉類を裏表紙Ｆ５と綴じ具１によって挟み込むようにしているファイルＦとしても良い。なお、本変形例について、上記実施形態及び上記各変形例における構成要素に相当するものについては、同じ符号を付すとともに、詳細な説明を省略するものとする。
【００７９】
同図に示すファイルＦＦは背表紙Ｆ４の幅が変更せず、且つ、ベース２Ｂが直接紙葉類を押圧して綴じるタイプのものである。そして同図に示す綴じ具１Ｂは、取付爪２２の構成を省く点、図示しない下面側を平坦に形成する点を除いては、上記実施形態と綴じ具１、ベース２と同様の構成をなすものである。
【００８０】
この様に、本発明は、オフィスにおいて広く用いられてきたファイルＦＦとすることにより、紙葉類を綴じる作業を同様の形状をなす従来のものに比べ、より簡便、且つ迅速に行い得るものとなっている。
【００８１】
＜変形例４＞
また本変形例４のように、第一の押さえ部と第二の押さえ部とを一体に構成することにより、部品点数をさらに削減した綴じ具としても良い。なお、本変形例について、上記実施形態及び上記各変形例における構成要素に相当するものについては、同じ符号を付すとともに、詳細な説明を省略するものとする。
【００８２】
図１７に示す綴じ具１Ｃは、上記実施形態同様のベース２と、上記実施形態に係る第一の押さえ板３及び第二の押さえ板４を、一体に構成した共通押さえ板５とを有したものである。換言すれば当該綴じ具は、ベース２及び共通押さえ板５という、これら２点の部品のみで綴じ具１Ｃを構成している。この共通押さえ板５は、上記実施形態に係る綴じ操作板３５、上接続板部３６及び下接続板部４４の代わりに操作側ヒンジ３４及び中央ヒンジ４３との間に介在する接続板部５０を有し、当該接続板部５０から、上記実施形態同様の位置決めリンク４５を、切り起こしではなく、突出させて成形しているものである。そして当該共通押さえ板５は接続板部５０のほか、上記実施形態と同様の操作部３１、第一の押さえ部３２、外嵌部３３、操作側ヒンジ３４、第二の押さえ部４１、摺動板部４２、中央ヒンジ４３、位置決めリンク４５及び浮き防止リンク４６を一体に有している。
【００８３】
このようなものであっても、上記実施形態並びに各変形例同様の操作部３１を具備しているので、所定方向の押圧動作のみにより、使用者は一方向の押圧操作のみで綴じ姿勢（Ｐ）から退避姿勢（Ｑ）へと操作し得るものとなっている。また、この綴じ具１Ｃは、退避姿勢（Ｑ）にある接続板部５０を上から手指等で押圧してやれば、上記実施形態において綴じ操作板３５が押圧されたときと同様、容易に綴じ姿勢（Ｐ）へと姿勢変更する。つまり、誰にでも手軽に紙葉類の綴じ作業や加除作業を行うことができるものとなっている。
【００８４】
＜変形例５＞
また、図１８に示す本変形例５のように、第一の押さえ部と第二の押さえ部とを一体に構成することにより部品点数をさらに削減するとともに、部品の屈曲箇所をさらに削減した綴じ具１Dとしても良い。なお、本変形例について、上記実施形態及び上記各変形例における構成要素に相当するものについては、同じ符号を付すとともに、詳細な説明を省略するものとする。
【００８５】
当該綴じ具１Dは、上記変形例４に記載した綴じ具１Ｃ同様にベース２及び共通押さえ板５という、これら２点の部品のみで綴じ具１Ｄを構成している。そしてこの綴じ具１Ｄは、接続板部５０の構成について、以下のようにしている。すなわち、この接続板部５０の端部を、ヒンジを介さずにそのまま操作部３１に設定するとともにその裏面側第一の押さえ部３２とし、第一の押さえ部３２の両側に位置している外嵌部３３の構成を前記レール部２３１に対し、内向きに突出する突起部分３３１のみにより外嵌させることによって、レール部２３１に対しスライド且つ回転可能な構成として、上記実施形態・変形例に係る操作側ヒンジ３４の構成を省略したものである。
【００８６】
このようなものであると、綴じ姿勢（Ｐ）から退避姿勢（Ｑ）に移行するとき、第一の押さえ部は突起部分３３１を中心に回転しながら接続板部５０と一体に傾斜しながらスライド動作を行うものとなる。そしてこのような構成を適用することにより、共通押さえ板５における部品の屈曲箇所をさらに削減することができる。これにより、より耐久性に優れた綴じ具１Ｄ及びファイルＦを提供することが可能となる。
【００８７】
また勿論、本変形例のように操作側ヒンジ３４の構成を略する態様は、上記実施形態並びに変形例１乃至３の何れにも適用することが可能である。
【００８８】
以上、本発明の実施形態について説明したが、各部の具体的な構成は、上述した実施形態のみに限定されるものではなく、本発明の趣旨を逸脱しない範囲で種々変形が可能である。
【００８９】
例えば、上記実施形態ではリンク動作をするリンク部のみの構成によって連動機構を実現した態様を開示したが、勿論、スライド機構やラックピニオン機構、または所定の部材が弾性的に伸縮するような構造を別途適用したり、これらの機構・構造を適宜組み合わせたりすることによって種々の連動機構を実現してもよい。そして、上記実施形態のリンク部は押さえ板から形成したものとしていたが、勿論ベースの一部を切り起こしたリンク要素を適用しても構わない。またファイルに取り付ける綴じ具の位置や綴じ足の間隔、また、綴じ具の数といったファイルの具体的な態様は上記実施形態のものに限定されることはなく、既存のものを含め、種々の態様のものを適用することができる。
【００９０】
その他、各部の具体的構成についても上記実施形態に限られるものではなく、本発明の趣旨を逸脱しない範囲で種々変形が可能である。
【産業上の利用可能性】
【００９１】
本発明は紙葉類を綴じるための綴じ具及びファイルとして利用することができる。
【符号の説明】
【００９２】
１、１Ａ，１Ｂ、１Ｃ、１Ｄ…綴じ具
２、２Ｂ…ベース
２１…綴じ足挿通部
３１…操作部
３２…第一の押さえ部
４１…第二の押さえ部
Ｆ、ＦＦ…ファイル
Ｆ７…綴じ足Ｆ７
Ｐ…綴じ姿勢（Ｐ）
Ｑ…退避姿勢（Ｑ）
Ｘ…連動機構、リンク部（連動機構）
【図１】
0005617098.tif 000002
【図２】
0005617098.tif 000003
【図３】
0005617098.tif 000004
【図４】
0005617098.tif 000005
【図５】
0005617098.tif 000006
【図６】
0005617098.tif 000007
【図７】
0005617098.tif 000008
【図８】
0005617098.tif 000009
【図９】
0005617098.tif 000010
【図１０】
0005617098.tif 000011
【図１１】
0005617098.tif 000012
【図１２】
0005617098.tif 000013
【図１３】
0005617098.tif 000014
【図１４】
0005617098.tif 000015
【図１５】
0005617098.tif 000016
【図１６】
0005617098.tif 000017
【図１７】
0005617098.tif 000018
【図１８】
0005617098.tif 000019